(57)【要約】【目的】装置の小型化を図りつつ、メディアの情報記録面に対する光ピックアップの光軸のチルト調整を精度良く容易に行え得るメディア駆動装置を提供する。【構成】ベースプレート２にネジ軸５とガイド軸６を並列状に設け、そのネジ軸５とガイド軸６で光ピックアップ４の両側を支持する。又、ベースプレート２には、受動ギア１０側でネジ軸５の一端部を支持する支持部２０と、ネジ軸５の他の一端部を支持する支持部２２を設ける。支持部２０はネジ軸５をターンテーブル３の軸線方向に押圧する弾性部材１７を有し、支持部２２はターンテーブル３の軸線方向でカラー２３を挟んで対向する弾性部材１８とチルト調整ネジ２１とを具備する。そして、軸受部材２３にネジ軸５の一端部が回転自在にして嵌まり込むようにし、その軸受部材２３を弾性部材１８によりチルト調整ネジ２１に向けて押圧する。【選択図】  図１
2004326938.tif 000002
【特許請求の範囲】
【請求項１】
ベースプレートにネジ軸とガイド軸を並列状に設け、そのネジ軸とガイド軸で光ピックアップの両側を支持し、その光ピックアップが前記ネジ軸の回転駆動を以てターンテーブル上に配されるディスク状メディアの半径方向に移動するようにしたメディア駆動装置において、前記ネジ軸はその一端側に駆動源から回転駆動力を得るための受動ギアを有し、前記ベースプレートには前記受動ギア側で前記ネジ軸の一端部を支持する第１支持部と前記ネジ軸の他の一端部を支持する第２支持部が設けられ、前記第１支持部は前記ネジ軸をターンテーブルの軸線方向に押圧する第１弾性部材を有すると共に、前記第２支持部はターンテーブルの軸線方向で軸受部材を挟んで対向する第２弾性部材とチルト調整ネジとを具備し、前記軸受部材には前記ネジ軸の一端部が回転自在にして嵌め込まれ、その軸受部材は前記第２弾性部材により前記チルト調整ネジに向けて押圧され、そのチルト調整ネジを回転操作することにより該チルト調整ネジと前記第２弾性部材との間で前記軸受部材が変位し、その変位量に応じてメディアの情報記録面に対する前記ネジ軸の傾きが変化するようにしたことを特徴とするメディア駆動装置。
【発明の詳細な説明】
【０００１】
【発明の属する技術分野】
本発明はＣＤやＤＶＤなどのディスク状のメディアに情報を記録したり、その記録情報を再生するのに用いられるメディア駆動装置に係わり、特にメディアの情報記録面に対する光ピックアップの光軸のチルト調整を精度良く容易に行えるようにしたメディア駆動装置に関する。
【０００２】
【従来の技術】
従来、メディア駆動装置としてＣＤプレーヤ、ＤＶＤプレーヤ、又はＤＶＤレコーダなどが知られる。それらのメディア駆動装置はディスク状のメディアを回転させるためのターンテーブルを備え、その上に載せられたメディアの半径方向に沿って光ピックアップが移動するような構成とされている。その光ピックアップはメディアの情報記録面（ピット列）にレーザ光を照射し、メディアからの反射光量の大きさによってピットの有無を検出するのであり、このためメディアの情報記録面に対するレーザ光の傾きが大きいとメディアからの反射光を受光できなくなってピットの読み取りエラーを発生する。よって、その種のメディア駆動装置には、メディアの情報記録面に対し光ピックアップから照射されるレーザ光の傾き（光軸の入射角）を許容範囲内に収め得るような調整機構が設けられる。
【０００３】
係る調整機構の一例を図６及び図７に示して概説すると、Ｄはディスク状のメディア、Ｔはメディアを回転させるためのターンテーブル、Ｐは光ピックアップ、Ｒは光ピックアップを移動させるためのネジ軸、Ｍはネジ軸を回転駆動させるためのモータ、Ｇは光ピックアップの移動案内をするガイド軸であり、その両端部には夫れ夫れチルト調整ネジＮと弾性部材Ｓが対向して設けられ、その各ネジＮを回転操作することによってメディアＤの情報記録面に対するガイド軸Ｇの傾きが調整可能とされる。これによれば、各部品を組みつけた後、チルト調整ネジＮの操作によりターンテーブルＴ上に載せたメディアＤの情報記録面にガイド軸Ｇを平行させ、これにより光ピックアップＰからメディアＤの情報記録面にレーザ光を直角に照射せしめてピット読み取りエラーの発生を防止することができる。
【０００４】
然し、二つのガイド軸Ｇで光ピックアップＰを支持する構成では、部品点数が多くなるために装置の小型化や低価格化が難しくなり、しかもガイド軸Ｇの傾きを変化させることにより光ピックアップＰに設けたラックＬとネジ軸Ｒの噛み合いが悪化した場合、稀に光ピックアップＰが動かなくなる虞れがある。
【０００５】
そこで、光ピックアップの両側をネジ軸とガイド軸とにより支持し、メディアの情報記録面に対してネジ軸の傾きを調整できるようにしたメディア駆動装置が実用化されている（例えば、特許文献１）。
【０００６】
【特許文献１】
特開平５−１０３２３６号公報
【０００７】
【発明が解決しようとする課題】
然し乍ら、回転駆動するネジ軸で光ピックアップの片側を支持するタイプでは、ネジ軸の外周面にチルト調整ネジを押し付けるとネジ軸の回転が阻害され、その駆動源に過負荷が生じるようになるだけでなく、ネジ軸の回転によってその外周面やチルト調整ネジの先端が摩耗し、これによってメディアの情報記録面に対するネジ軸の傾きが次第に大きくなり、その結果として光ピックアップからメディアの情報記録面に照射されるレーザ光が傾きを生じ、その傾きが早期に許容範囲を越えてピットの読み取りエラーを発生することになる。
【０００８】
このため、特許文献１ではガイド軸（第１のガイドレール）などを取り付けるメインベース板に、コ字形のバネ部材を介してトラバースベース板を取り付け、そのトラバースベース板上にネジ軸（送りネジ）やその駆動源であるモータを配置し、ネジ軸の傾きをトラバースベース板の二か所に挿入したネジの操作により調整するようにしている。
【０００９】
ところが、メインベース板上にトラバースベース板を設ける構成では、装置の小型化（薄型化）が難しくなり、しかもトラバースベース板を介してネジ軸の傾きを間接的に調整するため部品精度が要求され、しかもメディアの情報記録面に対する光ピックアップの光軸の高精度のチルト調整が難しく、トラバースベース板の撓みなどに関係して高い調整精度を得難い。この点は、今後メディア（ディスク）の記録密度が高くなると不利である。
【００１０】
本発明は以上のような事情に鑑みて成されたものであり、その目的は装置の小型化を図りつつ、メディアの情報記録面に対する光ピックアップの光軸のチルト調整を精度良く容易に行え得るメディア駆動装置を提供することにある。
【００１１】
【課題を解決するための手段】
本発明は上記目的を達成するため、ベースプレート２にネジ軸５とガイド軸６を並列状に設け、そのネジ軸５とガイド軸６で光ピックアップ４の両側を支持し、その光ピックアップ４が前記ネジ軸５の回転駆動を以てターンテーブル３上に配されるディスク状メディアＤの半径方向に移動するようにしたメディア駆動装置において、前記ネジ軸５はその一端側に駆動源（モータ７）から回転駆動力を得るための受動ギア１０を有し、前記ベースプレート２には前記受動ギア１０側で前記ネジ軸５の一端部を支持する第１支持部２０と前記ネジ軸５の他の一端部を支持する第２支持部２２が設けられ、前記第１支持部２０は前記ネジ軸５をターンテーブル３の軸線方向に押圧する第１弾性部材１７を有すると共に、前記第２支持部２２はターンテーブル３の軸線方向で軸受部材（カラー２３）を挟んで対向する第２弾性部材１８とチルト調整ネジ２１とを具備し、前記軸受部材２３には前記ネジ軸５の一端部が回転自在にして嵌め込まれ、その軸受部材２３は前記第２弾性部材１８により前記チルト調整ネジ２１に向けて押圧され、そのチルト調整ネジ２１を回転操作することにより該チルト調整ネジと前記第２弾性部材１８との間で前記軸受部材２３が変位し、その変位量に応じてメディアＤの情報記録面に対する前記ネジ軸５の傾きが変化するようにしたことを特徴とする。
【００１２】
【発明の実施の形態】
以下、本発明の適用例を図面に基づいて詳しく説明する。図１は係るメディア駆動装置の主要部を成すドライブユニットの底面図であり、このドライブユニット１は、ベースプレート２にターンテーブル３や光ピックアップ４などを一体的に組みつけて構成される。ターンテーブル３は、ＣＤやＤＶＤといったディスク状のメディアＤを回転させるものであり、このターンテーブル３に載せられたメディアＤの平面（情報記録面）には、情報の記録再生をするために光ピックアップ４からレーザ光が照射される。光ピックアップ４は、レーザ光をメディアＤの情報記録面に収束させるための対物レンズ４Ａほか、レーザ光を発生する図示せぬレーザダイオード、並びにメディアからの反射光を検出する図示せぬフォトダイオードなどを金属製のキャリッジ４Ｂに搭載して構成される光学部品であり、これはメディアＤの情報記録面に沿ってその半径方向に移動する。尚、ベースプレート２は光ピックアップ４の移動領域が開口部２Ａとして切り欠いてあり、これにより光ピックアップ４からターンテーブル３上のメディアＤに向けて照射されるレーザ光が遮蔽されないようになっている。
【００１３】
５は光ピックアップをメディアの半径方向に移動させるためのネジ軸、６はその移動案内をするガイド軸であり、このネジ軸５とガイド軸６は光ピックアップ４を挟んでベースプレート２に並列状に設けられる。そして、光ピックアップ４はその両側をネジ軸５とガイド軸６により支持され、片側を支持したネジ軸５の回転駆動によりその軸方向に移動する。
【００１４】
７はネジ軸を回転させるための駆動源（モータ）であり、その駆動軸には原動ギア８（ウォーム）が固定され、ベースプレート２には原動ギア８と噛み合う減速ギア９（ウォームホイール）が設けられる。又、ネジ軸５の一端側にはモータ７から回転駆動力を得るための受動ギア１０（ウォーム）が固定され、その受動ギア１０が減速ギア９に噛み合わされている。一方、光ピックアップを構成するキャリッジ４Ｂの両側には、ネジ軸５とガイド軸６を通す嵌合部１１，１２が形成されると共に、ネジ軸５を通す嵌合部１１側にはラック１３が取り付けられ、そのラック１３がネジ軸５と噛み合わされている。
【００１５】
よって、モータ７を駆動してネジ軸５を正逆に回転させると、そのネジ軸５とガイド軸６に沿ってキャリッジ４Ｂが往復直線運動をし、以てそのキャリッジ４Ｂを含む光ピックアップ４が全体としてメディアＤの半径方向に移動する。尚、ベースプレート２にはネジ軸５とガイド軸６を架け渡すための受座１４，１５，１６が取り付けられる。
【００１６】
次に、図２は図１の部分拡大図であり、図３及び図４には図２におけるＡ−Ａ断面及びＢ−Ｂ断面を示す。先ず、図２において、ターンテーブル３を囲む受座１４には板バネで成る弾性部材１７（第１弾性部材）が取り付けられ、その弾性部材１７により受動ギア１０側でネジ軸５の一端部がターンテーブル３の軸線方向（本例においてターンテーブル３上のメディアに接近する方向）に押圧されている。又、受座１５には線状の捩りバネで成る弾性部材１８（第２弾性部材）が取り付けられ、その弾性部材１８によりネジ軸５の他の一端部がターンテーブル３の軸線方向（本例においてターンテーブル３上のメディアから離隔する方向）に押圧されている。更に、受座１６には線状の捩りバネで成る弾性部材１９が取り付けられ、その弾性部材１９によりガイド軸６の両端部がターンテーブル３の軸線方向（本例においてターンテーブル３上のメディアから離隔する方向）に押圧されている。
【００１７】
図３及び図４のように、受座１４，１５，１６にはネジ軸５とガイド軸６の端部を嵌め込む凹部１４Ａ，１４Ｂ，１５Ａ，１６Ａが形成され、ネジ軸５の一端部が嵌め込まれる凹部１４Ａの開放側では上記の弾性部材１７をネジ軸５の外周面に摺接せしめてネジ軸５の一端を支持する支持部２０（第１支持部）が構成されている。又、凹部１５Ａを形成する受座１５には上記の弾性部材１８にチルト調整ネジ２１を対向せしめてネジ軸５の他の一端部を支持する支持部２２（第２支持部）が構成されている。特に、弾性部材１８とチルト調整ネジ２１はカラー２３（軸受部材）を挟んで対向し、そのカラー２３にネジ軸５の一端部が回転自在に嵌め込まれる構成としてある。尚、弾性部材１８はカラー２３の外周面に接触して該カラー２３をチルト調整ネジ２１に向けて押圧しており、そのチルト調整ネジ２１は凹部１５Ａの底面にねじ込まれてカラー２３の外周面に先端が接触するようになっている。
【００１８】
よって、チルト調整ネジ２１を回転操作することにより、その先端にカラー２３を接触させた状態に保ったまま該カラー２３を弾性部材１８とチルト調整ネジ２１の間で変位せしめ、以てそのカラー２３に一端部が嵌め込まれるネジ軸５の傾きをターンテーブル３上のメディアの情報記録面に対して変化させることができる。
【００１９】
一方、ガイド軸６の両端が嵌め込まれる凹部１４Ｂ，１６Ａの底面には、ガイド軸６の傾きを調整可能とする第２、第３のチルト調整ネジ２４，２５がねじ込まれ、それらネジ２４，２５に向けてガイド軸６の両端部が上記の弾性部材１９により押圧され、それらネジ２４，２５の先端が弾性部材１９の作用でガイド軸６の外周面に接触するようになっている。よって、ガイド軸６もチルト調整ネジ２４，２５の回転操作によりメディアの情報記録面に対する傾きを調整することができる。
【００２０】
次に、図５は図２のＣ−Ｃ線における部分断面図を示す。この図で明らかなように、弾性部材１７は受動ギア１０を跨いでその先端がネジ軸５の一端部外周に摺接され、その弾性部材１７と凹部１４Ａによりネジ軸５の一端部が挟まれて回転自在に支持されるようになっている。又、弾性部材１７の一部は分岐片１７Ａとしてネジ軸５の一端面に接触され、その分岐片１７Ａによりネジ軸５がその軸方向に押圧される構成としてある。一方、カラー２３を被せたネジ軸５の一端側でその一端面は凹部１５Ａの壁面に接触し、これによりネジ軸５の軸方向の移動が規制されている。
【００２１】
そして、以上のような支持部２０，２２により両端部を支持されるネジ軸５によれば、チルト調整ネジ２１の回転操作により傾きを変化させ、ターンテーブル３上に載せられたメディアＤの情報記録面に対する傾きθを許容範囲内に補正することができ、しかもチルト調整ネジ２１の操作時には、ネジ軸５がチルト調整ネジ２１とは逆側の支持部２０を支点として揺動するので、受動ギア１０の変位量は少なく、その受動ギア１０と図１に示した減速歯車９との噛み合いを適正な状態に維持することができる。
【００２２】
ここで、以上のように構成されるメディア駆動装置の作用を説明すると、ターンテーブル３や光ピックアップ４などはベースプレート２に組つけられてドライブユニット１を構成するが、その構成部品は所定位置に適正な姿勢で組つけられるとは限らない。特に、ターンテーブル３と光ピックアップ４の相対的な傾きが許容範囲を越えて組つけられた場合には、ターンテーブル３上に配したメディアＤの情報記録面に対し、光ピックアップ４から照射されるレーザ光が大きく傾いてその反射光を検出できなくなる。よって、ターンテーブル３と光ピックアップ４の相対的な傾きが許容範囲を越える場合には、その傾きを補正する調整が必要となる。ここに、ターンテーブル３がネジ軸５とガイド軸６の軸方向に傾きを生じている場合には、チルト調整ネジ２１，２４，２５を回転操作してネジ軸５及びガイド軸６がターンテーブル３上のメディアＤの情報記録面に平行するよう設定するのであり、これにより光ピックアップ４をメディアＤの半径方向に沿って平行移動させながら、メディアＤの情報記録面にレーザ光を直角に照射してその反射光を確実に検出することができる。
【００２３】
尚、チルト調整ネジ２１の先端がカラー２３の外面に接触し、カラー２３の内周面にてネジ軸５の一端部が回転自在に支持されるために、チルト調整ネジ２１の先端やネジ軸５の摩耗を防止してメディアに対する光軸の傾きを長期に亙って初期の設定状態に維持することができる。
【００２４】
以上、本発明について説明したが、係るメディア駆動装置は上記例に限らず、例えば軸受部材としてカラー２３のほかボールベアリングなどを利用することもできる。又、軸受部材をネジ軸５の両端に設け、第１支持部を第２支持部と同様の構成としても良い。尚、線状の捩りバネで成る弾性部材１８，１９は板バネを使用してもよい。
【００２５】
【発明の効果】
以上の説明で明らかなように、本発明によればネジ軸とガイド軸の２つで光ピックアップを支持する構成であるから、ネジ軸とは別に２つのガイド軸で光ピックアップを支持する３軸構造のメディア駆動装置に比べ装置の小型化、簡略化、低価格化を図ることができ、しかもメディアの情報記録面に対してネジ軸の傾きを変化させ得るようにしていることから、メディアの情報記録面に対する光ピックアップの光軸のチルト調整を精度良く行うことができる。
【００２６】
特に、ネジ軸の一端部が回転自在にして嵌め込まれる軸受部材を有し、その軸受部材がチルト調整ネジに押し付けられるようにしているので、ネジ軸の回転がチルト調整ネジにより阻害されることがなく、しかもネジ軸の回転によってその外周面やチルト調整ネジの先端が摩耗するのを防止し、ネジ軸の傾きを長期に亙って初期の設定状態に維持することができる。
【００２７】
又、チルト調整ネジの回転操作で軸受部材が変位し、その変位量によってネジ軸の傾きが直接的に変化されるので、特許文献１のようにトラバースベースを介してネジ軸の傾きを間接的に変化させるものに比べ、調整精度を大幅に向上させることができる。
【図面の簡単な説明】
【図１】本発明に係るメディア駆動装置を構成するドライブユニットの底面概略図
【図２】図１の要部拡大図
【図３】図２のＡ−Ａ線における断面概略図
【図４】図２のＢ−Ｂ線における断面概略図
【図５】図２のＣ−Ｃ線における断面概略図
【図６】従来例を示す概略図
【図７】従来例の要部を拡大して示した概略図
【符号の説明】
Ｄ  ディスク状のメディア
１  ドライブユニット
２  ベースプレート
３  ターンテーブル
４  光ピックアップ
５  ネジ軸
６  ガイド軸
７  モータ（駆動源）
１０  受動ギア
１３  ラック
１７  第１弾性部材
１８  第２弾性部材
２０  第１支持部
２１  チルト調整ネジ
２２  第２支持部
２３  カラー（軸受部材）
【図１】
2004326938.tif 000003
【図２】
2004326938.tif 000004
【図３】
2004326938.tif 000005
【図４】
2004326938.tif 000006
【図５】
2004326938.tif 000007
【図６】
2004326938.tif 000008
【図７】
2004326938.tif 000009